(57)【要約】【課題】  異なる真空管を切り替えて使用することができる好適なオーディオ用真空管メインアンプを提供する。【解決手段】  ２Ａ３、３００Ｂ、５０のように異なる真空管が出力段真空管３としてソケット３１に差し替えて装着される。ヒーター電源回路６，プレート電源回路７及びグリッド電源回路８において、使用が予定される真空管に応じて複数の電源回路が設けられており、真空管切り替えスイッチ５に連動して動作するリレー６２，７３，８３により最適な電源回路が選択されて出力段真空管５に接続される。【選択図】  図１
2011228760.tif 000002
【特許請求の範囲】
【請求項１】
異なる真空管を差し替えて装着することができるソケットと、
ソケットに装着されることが予定されている真空管に応じて設けられた複数の電源回路と、
使用する真空管に応じて切り替えられるスイッチと、
スイッチに連動して動作するリレー回路とをを備えており、
前記複数の電源回路は、各真空管に応じて設けられたヒーター電源回路、プレート電源回路、グリッド電源回路であり、
前記リレー回路は、スイッチの切り替えによって選択された真空管に応じたヒーター電源回路、プレート電源回路、グリッド電源回路が真空管に接続されるようにするものであることを特徴とするオーディオ用真空管メインアンプ。
【発明の詳細な説明】
【技術分野】
【０００１】
本願の発明は、高級オーディオ用として用いられている真空管メインアンプに関するものである。
【背景技術】
【０００２】
デジタル全盛の時代にあっても、高級オーディオのファンやマニアの間では、真空管を使用したアンプに根強い人気がある。その理由は、やはり、柔らかで味わいのある音色が出せるからである。真空管アンプは、市販品として発売されているものもあるが、マニアの中には自作する者もいるし、自作用のキットなども発売されており、根強い人気がうかがえる。
真空管アンプ、特に真空管メインアンプでは、使用する真空管によって音色に特徴が現れる。例えば高級オーディオ用の代表的な真空管として広く使用されているＲＣＡ社の２Ａ３は柔らかで伸びやかな音色が特徴であるし、ＷＥ（ウェスタンエレクトリック）社の３００Ｂなどは、迫力ある重低音が特徴である。
【先行技術文献】
【非特許文献】
【０００３】
【非特許文献１】「真空管アンプ設計製作自在」（長  真弓著、２００９年、株式会社誠文堂新光社発行）
【発明の概要】
【発明が解決しようとする課題】
【０００４】
上記のような音色に違いのある真空管を切り替えて使用できるようにすれば、さまざまな音源に応じて最適な真空管を選んで使用できるので、好適である。しかしながら、真空管には、ヒーター（フィラメント）を加熱する電圧（ヒーター電圧、Ａ電源）、電子を引き寄せるプレートに与える電圧（プレート電圧、Ｂ電源）、電子を制御するグリッドに与える電圧（グリッドバイアス電圧、Ｃ電源）について定格が定められており、Ａ電源、Ｂ電源、Ｃ電源ともそれぞれ専用のものを用意して使用する必要がある。例外的に、ある真空管については、例えばＣ電源が共用できる場合もあり得るが、基本的にはそれぞれ定格に合わせた電圧電源回路を用意する必要がある。
本願の発明は、上記課題を考慮して為されたものであり、異なる真空管を切り替えて使用することができる好適なオーディオ用真空管メインアンプを提供する技術的意義を有するものである。
【課題を解決するための手段】
【０００５】
上記課題を解決するため、本願の請求項１記載のオーディオ用真空管メインアンプは、異なる真空管を差し替えて装着することができるソケットと、
ソケットに装着されることが予定されている真空管に応じて設けられた複数の電源回路と、
使用する真空管に応じて切り替えられるスイッチと、
スイッチに連動して動作するリレー回路とをを備えており、
前記複数の電源回路は、各真空管に応じて設けられたヒーター電源回路、プレート電源回路、グリッド電源回路であり、
前記リレー回路は、スイッチの切り替えによって選択された真空管に応じたヒーター電源回路、プレート電源回路、グリッド電源回路が真空管に接続されるようにするものであるという構成を有する。
【発明の効果】
【０００６】
以下に説明する通り、本願の請求項１記載の発明によれば、異なる真空管を切り替えて装着して使用することができるので、様々な音源に応じて最適な真空管により再生を楽しむことができる。その上、使用が予定されている各真空管について定格値等の点で最適に構成したヒーター電源回路、プレート電源回路、グリッド電源回路が用意されており、真空管切り替えスイッチの操作によりリレーによって一括して切り替えが行われるので、最適なヒーター電圧、プレート電圧、グリッドバイアス電圧を印加される。このため、真空管の性能を損なうことなく再生を楽しむことができる。そして、リレーによる切り替えは、他の手段に比べて簡便で容易であるというメリットがある。
【図面の簡単な説明】
【０００７】
【図１】本願発明の実施形態に係るオーディオ用真空管メインアンプの概略構成を示した回路図である。
【図２】図１に示す回路図により製作されたオーディオ用真空管メインアンプの外観図である。
【図３】図１のオーディオ用真空管メインアンプに設けられたリレー駆動回路の概略構成を示した図である。
【発明を実施するための形態】
【０００８】
次に、本願発明を実施するための形態（以下、実施形態）について説明する。
図１は、本願発明の実施形態に係るオーディオ用真空管メインアンプの概略構成を示した回路図である。
図１に示すメインアンプは、三つの真空管１，２，３を使った三段増幅の回路となっている。このうち、三つの真空管（以下、入力側から第一段目及び第二段目を真空管をそれぞれ、第一段真空管、第二段真空管と呼ぶ）はそれぞれ増幅用であるが、三段目（出力段）の真空管（以下、出力段真空管）３は、音色を決める重要な真空管であり、この出力段真空管３について差し替え可能の構成となっている。
【０００９】
図２は、図１に示す回路図により製作されたオーディオ用真空管メインアンプの外観図である。図２において、符号３で示すのが出力段真空管であり、これが差し替え可能となっている。
図２に示すように、真空管やトランス等の主要な回路素子は、筐体ボックス４の上面に装着されている。出力段真空管３についても、ソケット３１が設けられており、ソケット３１に装着されている。このソケット３１は、使用が予定されている異なる真空管を出力段真空管３として装着できるものである。
【００１０】
また、図２に示すように、筐体ボックス４には、出力段真空管３の差し替えに応じて操作されるスイッチ（以下、真空管切り替えスイッチ）５が設けられている。本実施形態では、ＲＣＡ社の２Ａ３、ＷＥ社の３００Ｂ、ＲＣＡ社のＣＲＣ５０（通称：ごーまる）の使用が予定されており、それぞれの略称として、「２Ａ３」、「３００Ｂ」、「５０」の表記が、スイッチが設けられた箇所の筐体上に設けられている。以下、本明細書でも、これらの略称を随時使用する。
【００１１】
出力段真空管３には、図１に示すように、出力段真空管３には、ヒーター電源回路６、プレート電源回路７、及びグリッド電源回路８が設けられている。そして、これら電源回路６，７，８は、切り替えて装着する出力段真空管３の定格に合わせて複数設けられており、後述するリレー駆動回路で切り替えられるようになっている。図１では、符号６，７，８でまとめて図示されているが、それぞれの回路に分かれており、後述するリレーで選択して使用するようになっている。以下、各々の電源回路について説明する。
【００１２】
まず、ヒーター電源回路６は、ヒーター用トランス６１と、ヒーター用トランス６１の二次側に設けられたヒーター用リレー６２とから主に構成されている。
ヒーター用リレー６２は、フィラメント６０の両端の電圧を各出力段真空管３の定格に合わせたものとするものである。ヒーター用トランス６１の二次側には、各出力段真空管３用にタップが設けられており、各タップは、ヒーター用トランス６１から各出力段真空管３のヒーター定格電圧に応じた電圧を出力するよう設けられている。したがって、ここでの「複数の電源回路」とは、ヒーター用トランス６１の二次側で複数に分岐してヒーター用リレー６２に接続された回路のことである。
【００１３】
一方、プレート電源回路７は、正電圧を変圧するプレート用トランス７１の二次側に増幅用の真空管７２を設け、その出力を抵抗で調節して各プレート定格電圧を取り出すようになっている。装着された出力段真空管３のプレートに接触するプレート端子と、プレート電源回路７との間には、プレート用リレー７３が設けられている。プレート用リレー７３は、どの出力段真空管３を使うかによって、取り出されたプレート定格電圧を選択するものである。したがって、ここでの「複数の電源回路」とは、プレート用トランス７１の二次側で分岐してプレート用リレー７に接続された回路のことである。
【００１４】
また、グリッド電源回路８は、第二段真空管２の出力をインターステージトランス８１を介してグリッドに印加するものである。この際、インターステージトランス８１の一次側にはプレート電源回路７の出力を接続し、グリッドバイアスについては、フィラメント６０に並列に設けられた抵抗からアースにバイパスする回路（以下、バイアス回路）８２によって行っている。バイアス回路８２は、使用する出力段真空管３に応じて最適なグリッドバイアス電圧となるようバイアス用リレー８３が設けられている。したがって、ここでの「複数の電源回路」とは、フィラメント６０からアースに向かって複数に分岐したバイアス回路８２の部分を指している。
【００１５】
また、本実施形態では、アンプの負荷抵抗も出力段真空管３に応じて切り替えるようになっている。即ち、出力段真空管３の出力は出力トランス９１を介して取り出されるようになっている。ソケット３１のプレート用の端子には、出力トランス９１が接続されており、出力トランス９１の二次側には、負荷抵抗用リレー９２が設けられている。負荷抵抗用リレー９２は、出力トランス９１の二次側タップは、負荷抵抗に応じた位置に設けられており、タップを選択することで負荷抵抗が選択されるようになっている。
【００１６】
図３は、図１のオーディオ用真空管メインアンプに設けられたリレー駆動回路の概略構成を示した図である。リレー駆動回路は、電源トランス１０１の出力を整流平滑し、その出力を各々のリレーの駆動コイル１０２ａ，１０２ｂ，１０２ｃに真空管切り替えスイッチ５を介して接続した回路である。
リレー駆動コイル１０２ａ，１０２ｂ，１０２ｃは、各リレー６２，７３，８３において共通化されている。本実施形態では三つの異なる出力段真空管３を切り替えて使用するので、三つのリレー駆動コイル１０２ａ，１０２ｂ，１０２ｃが設けられている。三つのリレー駆動コイルを、以下、コイル１０２ａ、コイル１０２ｂ、コイル１０２ｃとする。また、使用する出力段真空管３を、真空管ａ、真空管ｂ、真空管ｃとし、各リレー６２，７３，８３において、真空管ａ用の端子を端子ａ、真空管ｂ用の端子を端子ｂ、真空管ｃ用の端子を端子ｃとする。真空管切り替えスイッチ５の各端子も、それぞれ端子ａ、端子ｂ、端子ｃとする。
【００１７】
真空管切り替えスイッチ５が操作され、スイッチ５の端子ａがオンになると、コイル１０２ａが通電されて動作し、ヒーター用リレー６２、プレート用リレー７３、バイアス用リレー８３及び負荷抵抗用リレー９２において、各々の端子ａがオンとなり、各々の端子ｂ及び端子ｃはオフになる。また、真空管切り替えスイッチ５の端子ｂがオンになると、各リレー６２，７３，８３において端子ｂがオンになり、端子ａ及び端子ｃはオフになる。スイッチ５の端子ｃがオンになると、各リレー６２，７３，８３の端子ｃがオンになり、端子ａ及び端子ｂはオフになる。
【００１８】
上述した構成の真空管メインアンプにおいては、第一段真空管１の入力側にプリアンプやイコライザ等を接続し、出力段真空管３の出力側に、負荷抵抗用トランス９１及び負荷抵抗用リレー９２を介してスピーカーを接続する。そして、ソケット３１に所望の出力段真空管３を装着し、不図示のメインスイッチを入れてアンプを動作させる。この際、真空管切り替えスイッチ５を操作し、装着した真空管が表記されている箇所にスイッチ５を向ける。例えば、２Ａ３が端子ａ、３００Ｂが端子ｂ、５０が端子ｃだとし、「２Ａ３」の表記部分にスイッチを向けると、自動的にコイル１０２ａが導通され、前述したように、各リレー６２，７３，８３の各端子ａがオンになる。この結果、２Ａ３に適したヒーター電圧がフィラメント６０に印加され、２Ａ３に適したプレート電圧がプレートに印加され、２Ａ３に適したグリッドバイアス電圧が印加され、２Ａ３に適した負荷抵抗が選択される。２Ａ３での再生を楽しんだ後、別の真空管を使用する場合は、メインスイッチをオフにした後、２Ａ３をソケット３１から外し、別の真空管例えば３００Ｂを装着する。そして、スイッチ５を「３００Ｂ」の表記箇所に向ける。その上でメインスイッチをオン入れる。この結果、３００Ｂに適したヒーター電圧がフィラメント６０に印加され、３００Ｂに適したプレート電圧がプレートに印加され、３００Ｂに適したバイアス電圧が印加され、３００Ｂに適した負荷抵抗が選択される。出力段真空管３を５０にした場合も同様で、スイッチを切り替えることで、５０に適したヒーター電圧がフィラメント６０に印加され、５０に適したプレート電圧がプレートに印加され、５０に適したバイアス電圧が印加され、５０に適した負荷抵抗が選択される。
【００１９】
上記説明から解るように、本実施形態のオーディオ用真空管メインアンプによれば、異なる真空管を切り替えて装着して使用することができるので、様々な音源に応じて最適な真空管により再生を楽しむことができる。その上、使用が予定されている各真空管について定格値等の点で最適に構成したヒーター電源回路６、プレート電源回路７、グリッド電源回路８等が用意されており、真空管切り替えスイッチ５の操作によりリレー６２，７３，８３，９２によって一括して切り替えが行われるので、最適なヒーター電圧、プレート電圧、グリッドバイアス電圧を印加される。このため、真空管の性能を損なうことなく再生を楽しむことができる。そして、リレー６２，７３，８３，９２による切り替えは、他の手段に比べて簡便で容易であるというメリットがある。尚、図１に示すように、筐体ボックス４には、どの真空管を使用しているかを知らせるランプ４１，４２，４３が設けられている。図３に示すように、各ランプは、真空管切り替えスイッチ５から各コイル１０２ａ、１０２ｂ、１０２ｃへの線路上に設けられており、スイッチ５の切り替えによって切り替えられて点灯するようになっている。
【００２０】
上記実施形態は、三つの異なる出力段真空管３を切り替えて使用できる構成であったが、二つの異なる真空管を切り替えて使用する構成でも良く、四つ以上の異なる真空管を切り替えて使用する構成でも良い。これらの場合も、使用が予定される真空管に合わせてヒーター電源回路等をそれぞれ設け、スイッチで連動するリレーにより切り替えられるようにする。また、出力段真空管３ではなく、第一段真空管１や第二段真空管２について上記切り替えの構成を採用しても良い。
尚、切り替えて使用する真空管としては、端子の寸法・形状が同じであることが想定されており、その端子に適合したソケット５が使用されるが、端子の寸法・形状が異なる真空管を切り替えて使用する場合もある。この場合は、端子の寸法・形状を変換する専用のアダプタが使用される。
【００２１】
尚、出力段真空管３として使用する前述の各真空管については、同規格のものがオリジナルの発売元以外の会社から販売されている。例えば、５０（ＲＣＡ社のＣＲＣ５０）については、中国製として同規格のものがＳＧ５０の名称で販売されているし、米国製のものとしてはＫＥＮ−ＲＡＤ５０の名称で販売されている。ユーザーの間では、このような真空管も同規格の真空管として認知されているので、オリジナルものに替えて使用する場合がある。この場合も、真空管切り替えスイッチ５の切り替え位置としては、オリジナルものと同じ位置であることは勿論である。
【実施例１】
【００２２】
次に、本願発明の実施例を説明する。
前述したように、２Ａ３，３００Ｂ，５０の三つの真空管を出力段真空管３として切り替えて使用する場合、以下のような構成を採用し得る。
（ヒーター電圧）
・２Ａ３：２．５Ｖ
・３００Ｂ：５Ｖ
・５０：７．５Ｖ
（プレート電圧）
・２Ａ３：３００Ｖ
・３００Ｂ：３６０Ｖ
・５０：４４０Ｖ
（グリッドバイアス電圧）
・２Ａ３：４６Ｖ
・３００Ｂ：６２Ｖ
・５０：６８Ｖ
（負荷抵抗）
・２Ａ３：３ｋΩ
・３００Ｂ：３ｋΩ
・５０：６ｋΩ
【符号の説明】
【００２３】
１  第一段真空管
２  第二段真空管
３  出力段真空管
４  筐体ボックス
５  真空管切り替えスイッチ
６  ヒーター電源回路
７  プレート電源回路
８  グリッド電源回路
１０２ａ  リレー駆動コイル
１０２ｂ  リレー駆動コイル
１０３ｃ  リレー駆動コイル
【図１】
2011228760.tif 000003
【図２】
2011228760.tif 000004
【図３】
2011228760.tif 000005